(57)【要約】【課題】【解決手段】産業用イーサネットコネクタは４対の導体を有する。コネクタは、第一の軸線を画成する第一の対の導体と、第二の軸線を画成する第二の対の導体とを備えている。第二の軸線は第一の軸線に対して直交する。
2008529242.tif 000002
【特許請求の範囲】
【請求項１】
４対の導体を有する産業用イーサネットコネクタにおいて、
第一の軸線を画成する第一の対の導体と、
第一の軸線に対して直交する第二の軸線を画成する、第二の対の導体とを備える、産業用イーサネットコネクタ。
【請求項２】
請求項１に記載のコネクタにおいて、第一の軸線に対して直交する第三の軸線を画成する、第三の対の導体を更に備える、コネクタ。
【請求項３】
請求項２に記載のコネクタにおいて、第一の軸線に対して直交する第四の軸線を画成する、第四の対の導体を更に備える、コネクタ。
【請求項４】
４対の導体を有する産業用イーサネットコネクタにおいて、
第一のピン及び第二のピンを有する第一の対の導体と、
第三のピン及び第四のピンを有する第二の対の導体とを備え、第三のピン及び第四のピンの各々は、第一のピン及び第二のピンの各々からそれぞれ等距離隔てられる、産業用イーサネットコネクタ。
【請求項５】
請求項４に記載の導体において、第五のピン及び第六のピンを有する第三の対の導体を更に備え、第五のピン及び第六のピンの各々は、第一のピン及び第二のピンの各々からそれぞれ等距離隔てられる、導体。
【請求項６】
請求項５に記載のコネクタにおいて、第七のピン及び第八のピンを有する第四の対の導体を更に備え、第七のピン及び第八のピンの各々は、第一のピン及び第二のピンの各々からそれぞれ等距離隔てられる、コネクタ。
【発明の詳細な説明】
【関連出願の相互参照】
【０００１】
［０００１］  本出願は、その内容の全体を参考として引用し本明細書に含めた、２００５年１月３１日付けで出願された米国仮特許出願６０／６４８，６６０号の優先権を主張するものである。
【技術分野】
【０００２】
［０００２］  本発明は、産業用イーサネットコネクタ、より具体的には、産業用イーサネットコネクタピンの配置方向に関する。
【背景技術】
【０００３】
［０００３］  多数の撚った対の導体から成る通信ケーブルは、一般的であり、４対のケーブルが広く使用されている。高速度データネットワークにおいて、通信ケーブル内にて電磁的干渉に起因して漏話が生じる。ケーブル内にて生ずる漏話は、近端漏話（ＮＥＸＴ）及び遠端漏話（ＦＥＸＴ）を含む。
【発明の開示】
【発明が解決しようとする課題】
【０００４】
［０００４］  通信システム内の漏話の抑制は、システムの信頼性及び通信の質を改良するため、益々、重要になりつつある方法である。具体的には、漏話は通信チャネル内の信号対雑音比を減少させ且つ、チャネルのビット誤差率を増大させるため、通信チャネル内の漏話の抑制は重要である。通信帯域帯の増加に伴い、信号の漏話を減少させ又は解消することの重要性も増している。
【０００５】
［０００５］  信号の漏話を減少させ又は解消する産業用イーサネットコネクタピンの配置方向を提供することが望ましいであろう。
【課題を解決するための手段】
【０００６】
［０００６］  産業用イーサネットコネクタは、４対の導体を有している。該コネクタは、第一の軸線を画成する第一の対の導体と、第二の軸線を画成する第二の対の導体とを有している。第二の軸線は、第一の軸線に対して直交する。
【０００７】
［０００７］  好ましくは、コネクタは、第三の軸線を画成する第三の対の導体を有するものとする。第三の軸線は、第一の軸線に対して直交する。
【０００８】
［０００８］  好ましくは、コネクタは、第四の軸線を画成する第四の対の導体を有するものとする。第四の軸線は、第一の軸線に対して直交する。
【０００９】
［０００９］  コネクタは、第一のピン及び第二のピンを有する第一の対の導体と、第三のピン及び第四のピンを有する第二の対の導体とを備えている。第三のピン及び第四のピンの各々は、第一のピン及び第二のピンの各々からそれぞれ等距離隔てられている。
【００１０】
［００１０］  好ましくは、コネクタは、第五のピン及び第六のピンを有する第三の対の導体を備えるものとする。第五のピン及び第六のピンの各々は、第一のピン及び第二のピンの各々からそれぞれ等距離隔てられている。
【００１１】
［００１１］  好ましくは、コネクタは、第七のピン及び第八のピンを有する第四の対の導体を備えるものとする。第七のピン及び第八のピンの各々は、第一のピン及び第二のピンの各々からそれぞれ等距離隔てられている。
【発明を実施するための最良の形態】
【００１２】
［００１６］  当該技術分野にて既知であるように、４対のケーブルは、対１、２、対３、６、対４、５及び対７、８を含む。図１に示すように、対３、６の軸線は、その他の全ての対の軸線に対して直交している。具体的には、対３、６の軸線は、対１、２の軸線に対して直交している。同様に、対３、６の軸線は、対４、５の軸線に対して直交している。同様に、対３、６の軸線は、対７、８の軸線に対して直交している。対１、２、対４、５及び対７、８は、任意の順序にて現れるようにすることも同様に考えられる。
【００１３】
［００１７］  図１にて最も良く見ることができるように、対３、６のピンの各々は、対１、２のピンの各々から等距離隔てられている。同様に、対３、６のピンの各々は、対４、５のピンの各々から等距離隔てられている。同様に、対３、６のピンの各々は、対７、８のピンの各々から等距離隔てられている。対３、６に対する実際のピンの順序は、図１に示したものと逆にすることが同様に考えられる。従って、この特定のピンの配置方向の結果、対３、６とその他の３つの対における任意のものとの間の正味漏話は零となる。
【００１４】
［００１８］  図２は、対４、５及び対３、６が互換された点を除いて、図１と同様である。図２に示すように、対４、５の軸線は、その他の全ての対の軸線に対して直交する。対４、５に対する実際のピンの順序は、図２に示したものと逆にすることが同様に考えられる。従って、この特定のピンの配置方向の結果、ピン４，５とその他の３つの対における任意のものとの間の正味漏話は零である。
［００１９］  図３及び図４には、異なる４対のケーブルピンの配置方向が示されている。図４は、対１、２及び対７、８が互換されている点を除いて、図３と同様である。図３及び図４に示すように、ピン３、６の軸線は、対４、５の軸線に対して直交する。対３、６及び対４、５に対する実際のピンの順序は図３及び図４に示したものと逆にすることが同様に考えられる。同様に、対１、２及び対７、８に対する実際のピンの順序は、図３及び図４に示したものと逆にすることが考えられる。従って、この特定のピンの配置方向の結果、対３、６と対４、５との間の正味漏話は零となる。
【００１５】
［００２０］  開示された発明は、４対ケーブルに対する多数の産業用イーサネットコネクタピンの配置方向を提供するものである。上述した一例としての実施の形態及び本発明の好ましい実施の形態は、本発明に従った産業用イーサネットコネクタピンの配置方向がとるであろう形態を全て網羅するものではなく、これらは、現在、理解されている、本発明の実施の形態を例示し且つ説明するためのものであることを理解すべきである。本発明の多くのその他の形態が存在するものと考えられる。
【図面の簡単な説明】
【００１６】
【図１】本発明に従った産業用イーサネットピンの配置方向を示す概略図である。
【図２】本発明の第二の実施の形態に従った産業用イーサネットピンの配置方向を示す概略図である。
【図３】本発明の第三の実施の形態に従った産業用イーサネットピンの配置方向を示す概略図である。
【図４】本発明の第四の実施の形態に従った産業用イーサネットピンの配置方向を示す概略図である。
【図１】
2008529242.tif 000003
【図２】
2008529242.tif 000004
【図３】
2008529242.tif 000005
【図４】
2008529242.tif 000006
【国際調査報告】
2008529242.tif 000007
2008529242.tif 000008